(57)【要約】  ＲＦ部５２、変復調部５４は、パケット信号を受信する。処理部５６は、受信したパケット信号を処理する。測定部８０は、受信したパケット信号に対する受信電力を測定する。監視部８２は、測定した受信電力の変動を監視する。通知部７０は、監視している変動がしきい値よりも大きくなるように受信電力が増大した場合、処理したパケット信号の内容に応じた通知を開始する。
2012114412.tif 000002
【特許請求の範囲】
【請求項１】
他の無線装置からのパケット信号を受信する受信部と、
前記受信部において受信したパケット信号を処理する処理部と、
前記受信部において受信したパケット信号に対する受信電力を測定する測定部と、
前記測定部において測定した受信電力の変動を監視する監視部と、
前記監視部において監視している変動がしきい値よりも大きくなるように受信電力が増大した場合、前記処理部において処理したパケット信号の内容に応じた通知を開始する通知部と、
を備えることを特徴とする無線装置。
【請求項２】
本無線装置は、車両に搭載された場合、当該車両に備えられた照明装置の点灯状態に関する情報を取得する点灯情報取得部をさらに備え、
前記通知部は、前記監視部において監視している変動がしきい値よりも大きくなるように受信電力が増大した場合であって、かつ前記点灯情報取得部において取得した情報が点灯状態を示している場合、通知を開始することを特徴とする請求項１に記載の無線装置。
【請求項３】
本無線装置は、車両に搭載された場合、当該車両の走行状態に関する情報を取得する走行情報取得部をさらに備え、
前記通知部は、前記監視部において監視している変動がしきい値よりも大きくなるように受信電力が増大した場合であっても、前記走行情報取得部において取得した情報が停止を示している場合、通知を開始しないことを特徴とする請求項１または２に記載の無線装置。
【請求項４】
本無線装置は、車両に搭載された場合、当該車両が走行している道路に関する情報を取得する道路情報取得部をさらに備え、
前記通知部は、前記監視部において監視している変動がしきい値よりも大きくなるように受信電力が増大した場合であって、かつ前記道路情報取得部において取得した情報が、所定の長さよりも短い幅員の道路を示している場合、通知を開始することを特徴とする請求項１から３のいずれかに記載の無線装置。
【請求項５】
本無線装置は、車両に搭載された場合、当該車両の進行方向を撮像した画像データを取得する画像データ取得部と、
前記画像データ取得部において取得した画像データの内容を解析する解析部をさらに備え、
前記通知部は、前記監視部において監視している変動がしきい値よりも大きくなるように受信電力が増大した場合であって、かつ前記解析部において解析した画像データに歩行者が含まれている場合、通知を開始することを特徴とする請求項１から４のいずれかに記載の無線装置。
【請求項６】
前記通知部は、画面への表示によって通知を実行することを特徴とする請求項１から５のいずれかに記載の無線装置。
【発明の詳細な説明】
【技術分野】
【０００１】
本発明は、通信技術に関し、特に所定の情報が含まれた信号を受信する無線装置に関する。
【背景技術】
【０００２】
交差点の出会い頭の衝突事故を防止するために、路車間通信の検討がなされている。路車間通信では、路側機と車載器との間において交差点の状況に関する情報が通信される。路車間通信では、路側機の設置が必要になり、手間と費用が大きくなる。これに対して、車車間通信、つまり車載器間で情報を通信する形態であれば、路側機の設置が不要になる。その場合、例えば、ＧＰＳ（Ｇｌｏｂａｌ  Ｐｏｓｉｔｉｏｎｉｎｇ  Ｓｙｓｔｅｍ）等によって現在の位置情報をリアルタイムに検出し、その位置情報を車載器同士で交換しあうことによって、自車両および他車両がそれぞれ交差点へ進入するどの道路に位置するかを判断する（例えば、特許文献１参照）。また、携帯端末の所有者に移動体の接近を警告するために、移動体から送信された信号が携帯端末で受信される。携帯端末は、受信した信号から移動体からの存在を検出したり、受信強度から移動体までの距離を推測したりする（例えば、特許文献２参照）。
【先行技術文献】
【特許文献】
【０００３】
【特許文献１】特開２００５−２０２９１３号公報
【特許文献２】特開２００２−７４５９３号公報
【発明の概要】
【発明が解決しようとする課題】
【０００４】
ＩＥＥＥ８０２．１１等の規格に準拠した無線ＬＡＮ（Ｌｏｃａｌ  Ａｒｅａ  Ｎｅｔｗｏｒｋ）では、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）と呼ばれるアクセス制御機能が使用されている。そのため、当該無線ＬＡＮでは、複数の端末装置によって同一の無線チャネルが共有される。このようなＣＳＭＡ／ＣＡでは、キャリアセンスによって他のパケット信号が送信されていないことを確認した後に、パケット信号が送信される。ＩＴＳ（Ｉｎｔｅｌｌｉｇｅｎｔ  Ｔｒａｎｓｐｏｒｔ  Ｓｙｓｔｅｍｓ）のような車車間通信に無線ＬＡＮを適用する場合、不特定多数の車両のそれぞれに搭載された端末装置へ情報を送信する必要があるために、信号はブロードキャストにて送信されることが望ましい。その結果、端末装置は、ブロードキャストされた信号を受信することによって、他の車両の接近を検出し、それを運転者に通知することによって、車両間の衝突事故を防止するための注意を運転者に喚起させる。【０００５】
車両間の衝突事故を防止するとともに、歩行者等と車両との衝突事故を防止することも望まれる。これに対応するために、端末装置は、車載される他に歩行者にも携帯される。歩行者が車両に追突されることを防止するために、歩行者に携帯される端末装置は、車載の端末装置に対して、存在している位置を通知する。歩行者に携帯される端末装置の数が多くなると、車載される端末装置での警告の頻度が多くなり、注意喚起効果が小さくなる。これに対応するため、車載される端末装置では、受信電力の大きい場合のみ警告を出力する。これは、近くに存在する歩行者の方が危険性が高いという考えに基づいている。しかしながら、受信電力が小さい場合であっても、危険性が高い場合もあり得る。例えば、見通し外に存在した歩行者が見通し内に進入してくる場合である。このような状況では、早期の警告が望まれる。【０００６】
本発明はこうした状況に鑑みてなされたものであり、その目的は、危険性の高い端末装置の存在を通知する技術を提供することにある。
【課題を解決するための手段】
【０００７】
上記課題を解決するために、本発明のある態様の無線装置は、他の無線装置からのパケット信号を受信する受信部と、受信部において受信したパケット信号を処理する処理部と、受信部において受信したパケット信号に対する受信電力を測定する測定部と、測定部において測定した受信電力の変動を監視する監視部と、監視部において監視している変動がしきい値よりも大きくなるように受信電力が増大した場合、処理部において処理したパケット信号の内容に応じた通知を開始する通知部と、を備える。【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、危険性の高い端末装置の存在を通知できる。
【図面の簡単な説明】
【００１０】
【図１】本発明の実施例に係る通信システムの構成を示す図である。
【図２】図１の基地局装置の構成を示す図である。
【図３】図３（ａ）−（ｄ）は、図１の通信システムにおいて規定されるフレームのフォーマットを示す図である。
【図４】図４（ａ）−（ｂ）は、図３（ａ）−（ｄ）のサブフレームの構成を示す図である。
【図５】図５（ａ）−（ｂ）は、図１の通信システムにおいて規定されるパケット信号に格納されるＭＡＣフレームのフォーマットを示す図である。
【図６】図１の車両に搭載された端末装置の構成を示す図である。
【図７】図６の端末装置による通知手順を示すフローチャートである。
【図８】本発明の変形例に係る端末装置の構成を示す図である。
【図９】図８の端末装置による通知手順を示すフローチャートである。
【図１０】本発明の別の変形例に係る端末装置の構成を示す図である。
【図１１】図１０の端末装置による通知手順を示すフローチャートである。
【図１２】本発明のさらに別の変形例に係る端末装置の構成を示す図である。
【図１３】図１２の端末装置による通知手順を示すフローチャートである。
【図１４】本発明のさらに別の変形例に係る端末装置の構成を示す図である。
【図１５】図１４の端末装置による通知手順を示すフローチャートである。
【発明を実施するための形態】
【００１１】
本発明を具体的に説明する前に、概要を述べる。本発明の実施例は、車両に搭載された端末装置間において車車間通信を実行するとともに、交差点等に設置された基地局装置から端末装置へ路車間通信も実行する通信システムに関する。車車間通信として、端末装置は、車両の速度や位置等の情報（以下、これらを「データ」という）を格納したパケット信号をブロードキャスト送信する。また、他の端末装置は、パケット信号を受信するとともに、データをもとに車両の接近等を認識する。車両の接近を運転者に通知することによって、運転者に注意を促す。車車間通信と路車間通信との干渉を低減するために、基地局装置は、複数のサブフレームが含まれたフレームを繰り返し規定する。基地局装置は、路車間通信のために、複数のサブフレームのいずれかを選択し、選択したサブフレームの先頭部分の期間において、制御情報等が格納されたパケット信号をブロードキャスト送信する。制御情報には、当該基地局装置がパケット信号をブローキャスト送信するための期間（以下、「路車送信期間」という）に関する情報が含まれている。
【００１２】
端末装置は、制御情報をもとに路車送信期間を特定し、路車送信期間以外の期間においてパケット信号を送信する。このように、路車間通信と車車間通信とが時間分割多重されるので、両者間のパケット信号の衝突確率が低減される。なお、車車間通信は、路車送信期間以外の車車間通信を実行するための期間（以下、「車車送信期間」という）においてＣＳＭＡ方式にてなされる。このような端末装置は、歩行者にも携帯される。歩行者に携帯される端末装置は、バッテリ駆動であり、低消費電力化を必要とされる。そのため、歩行者に携帯される端末装置は、データを格納したパケット信号をブロードキャスト送信するだけであり、車両の接近を歩行者に通知しない。歩行者の数が多くなると、警告が出力され続けてしまうので、注意の喚起力が低減する。
【００１３】
これに対応するため、車両に搭載された端末装置は、歩行者に携帯された端末装置のうち、受信電力がしきい値以上の端末装置の存在を警告する。このような状況下において、見通し外に存在した歩行者が見通し内に進入してくる場合がある。その際、受信電力がしきい値よりも小さくても、早期の警告が望まれる。そのため、本実施例に係る端末装置、特に車両に搭載されたは、次の処理を実行する。なお、以下では、歩行者に携帯される端末装置であっても、車車間通信、路車間通信というものとする。端末装置は、パケット信号を受信する。端末装置は、パケット信号の受信電力を測定するとともに、受信電力の変動を監視する。端末装置は、変動がしきい値よりも大きくなるように受信電力が増大した場合に、警告を出力する。
【００１４】
図１は、本発明の実施例に係る通信システム１００の構成を示す。これは、ひとつの交差点を上方から見た場合に相当する。通信システム１００は、基地局装置１０、車両１２と総称される第１車両１２ａ、第２車両１２ｂ、第３車両１２ｃ、第４車両１２ｄ、第５車両１２ｅ、第６車両１２ｆ、第７車両１２ｇ、第８車両１２ｈ、ネットワーク２０２を含む。なお、各車両１２には、図示しない端末装置が搭載されている。また、エリア２１２は、基地局装置１０の周囲に形成され、エリア外２１４は、エリア２１２の外側に形成されている。
【００１５】
図示のごとく、図面の水平方向、つまり左右の方向に向かう道路と、図面の垂直方向、つまり上下の方向に向かう道路とが中心部分で交差している。ここで、図面の上側が方角の「北」に相当し、左側が方角の「西」に相当し、下側が方角の「南」に相当し、右側が方角の「東」に相当する。また、ふたつの道路の交差部分が「交差点」である。第１車両１２ａ、第２車両１２ｂが、左から右へ向かって進んでおり、第３車両１２ｃ、第４車両１２ｄが、右から左へ向かって進んでいる。また、第５車両１２ｅ、第６車両１２ｆが、上から下へ向かって進んでおり、第７車両１２ｇ、第８車両１２ｈが、下から上へ向かって進んでいる。
【００１６】
通信システム１００は、交差点に基地局装置１０を配置する。基地局装置１０は、端末装置間の通信を制御する。基地局装置１０は、図示しないＧＰＳ衛星から受信した信号や、図示しない他の基地局装置１０にて形成されたフレームをもとに、複数のサブフレームが含まれたフレームを繰り返し生成する。ここで、各サブフレームの先頭部分に路車送信期間が設定可能であるような規定がなされている。基地局装置１０は、複数のサブフレームのうち、他の基地局装置１０によって路車送信期間が設定されていないサブフレームを選択する。基地局装置１０は、選択したサブフレームの先頭部分に路車送信期間を設定する。基地局装置１０は、設定した路車送信期間においてパケット信号を報知する。パケット信号に含まれるべきデータとして、複数種類のデータが想定される。ひとつが、制御情報であり、別のひとつが、渋滞情報である。なお、基地局装置１０は、渋滞情報を外部から受けつけるが、これについては後述する。
【００１７】
車両１２は、エンジンにて駆動され、図示しない端末装置を搭載する。端末装置は、受信したパケット信号に含まれた制御情報をもとに、フレームを生成する。その結果、複数の端末装置のそれぞれにおいて生成されるフレームは、基地局装置１０において生成されるフレームに同期する。また、端末装置は、車車送信期間において、ＣＳＭＡ／ＣＡを実行することによって、パケット信号を報知する。端末装置は、例えば、存在位置に関する情報をパケット信号に格納する。また、端末装置は、制御情報もパケット信号に格納する。つまり、基地局装置１０から送信された制御情報は、端末装置によって転送される。一方、基地局装置１０からのパケット信号を受信できない端末装置、つまりエリア外２１４に存在する端末装置は、フレームの構成に関係なく、ＣＳＭＡ／ＣＡを実行することによって、パケット信号を報知する。さらに、端末装置は、他の端末装置からのパケット信号を受信することによって、他の端末装置が搭載された車両の接近を運転者へ通知する。
【００１８】
前述のごとく、端末装置は、図示しない歩行者にも携帯される。このような端末装置は、車両１２に搭載された端末装置と比較して、受信したパケット信号の内容を通知するための機能を有しない。そのため、歩行者に携帯された端末装置は、存在位置に関する情報をパケット信号に格納して報知する。歩行者に携帯された端末装置から報知されたパケット信号は、車両１２に搭載された端末装置に受信される。車両１２に搭載された端末装置は、パケット信号の受信電力を測定する。受信電力が、予め定められたしきい値（以下、「第１しきい値」という）以上であれば、車両１２に搭載された端末装置は、歩行者の存在を警告する。また、車両１２に搭載された端末装置は、パケット信号の受信電力の変動を監視する。受信電力が第１しきい値より小さくても、受信電力の変動が、予め定められたしきい値（以下、「第２しきい値」という）より大きくなるように受信電力が増大していれば、車両１２に搭載された端末装置は、歩行者の存在を警告する。前者の警告は、車両１２の近傍に存在する歩行者への注意を促すためになされ、後者の警告は、車両１２の見通し外から見通し内に入ってこようとする歩行者への注意を促すためになされる。
【００１９】
図２は、基地局装置１０の構成を示す。基地局装置１０は、アンテナ２０、ＲＦ部２２、変復調部２４、処理部２６、制御部３０、ネットワーク通信部３４を含む。処理部２６は、フレーム規定部４０、選択部４２、生成部４６を含む。
【００２０】
ＲＦ部２２は、受信処理として、図示しない端末装置や他の基地局装置１０からのパケット信号をアンテナ２０にて受信する。ＲＦ部２２は、受信した無線周波数のパケット信号に対して周波数変換を実行し、ベースバンドのパケット信号を生成する。さらに、ＲＦ部２２は、ベースバンドのパケット信号を変復調部２４に出力する。一般的に、ベースバンドのパケット信号は、同相成分と直交成分によって形成されるので、ふたつの信号線が示されるべきであるが、ここでは、図を明瞭にするためにひとつの信号線だけを示すものとする。ＲＦ部２２には、ＬＮＡ（Ｌｏｗ  Ｎｏｉｓｅ  Ａｍｐｌｉｆｉｅｒ）、ミキサ、ＡＧＣ、Ａ／Ｄ変換部も含まれる。
【００２１】
ＲＦ部２２は、送信処理として、変復調部２４から入力したベースバンドのパケット信号に対して周波数変換を実行し、無線周波数のパケット信号を生成する。さらに、ＲＦ部２２は、路車送信期間において、無線周波数のパケット信号をアンテナ２０から送信する。また、ＲＦ部２２には、ＰＡ（Ｐｏｗｅｒ  Ａｍｐｌｉｆｉｅｒ）、ミキサ、Ｄ／Ａ変換部も含まれる。
【００２２】
変復調部２４は、受信処理として、ＲＦ部２２からのベースバンドのパケット信号に対して、復調を実行する。さらに、変復調部２４は、復調した結果を処理部２６に出力する。また、変復調部２４は、送信処理として、処理部２６からのデータに対して、変調を実行する。さらに、変復調部２４は、変調した結果をベースバンドのパケット信号としてＲＦ部２２に出力する。ここで、通信システム１００は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式に対応するので、変復調部２４は、受信処理としてＦＦＴ（Ｆａｓｔ  Ｆｏｕｒｉｅｒ  Ｔｒａｎｓｆｏｒｍ）も実行し、送信処理としてＩＦＦＴ（Ｉｎｖｅｒｓｅ  Ｆａｓｔ  Ｆｏｕｒｉｅｒ  Ｔｒａｎｓｆｏｒｍ）も実行する。
【００２３】
フレーム規定部４０は、図示しないＧＰＳ衛星からの信号を受信し、受信した信号をもとに時刻の情報を取得する。なお、時刻の情報の取得には公知の技術が使用されればよいので、ここでは説明を省略する。フレーム規定部４０は、時刻の情報をもとに、複数のフレームを生成する。例えば、フレーム規定部４０は、時刻の情報にて示されたタイミングを基準にして、「１ｓｅｃ」の期間を１０分割することによって、「１００ｍｓｅｃ」のフレームを１０個生成する。このような処理を繰り返すことによって、フレームが繰り返されるように規定される。なお、フレーム規定部４０は、復調結果から制御情報を検出し、検出した制御情報をもとにフレームを生成してもよい。このような処理は、他の基地局装置１０によって形成されたフレームのタイミングに同期したフレームを生成することに相当する。図３（ａ）−（ｄ）は、通信システム１００において規定されるフレームのフォーマットを示す。図３（ａ）は、フレームの構成を示す。フレームは、第１サブフレームから第Ｎサブフレームと示されるＮ個のサブフレームによって形成されている。例えば、フレームの長さが１００ｍｓｅｃであり、Ｎが８である場合、１２．５ｍｓｅｃの長さのサブフレームが規定される。図３（ｂ）−（ｄ）の説明は、後述し、図２に戻る。
【００２４】
選択部４２は、フレームに含まれた複数のサブフレームのうち、路車送信期間を設定すべきサブフレームを選択する。具体的に説明すると、選択部４２は、フレーム規定部４０にて規定されたフレームを受けつける。選択部４２は、ＲＦ部２２、変復調部２４を介して、図示しない他の基地局装置１０あるいは端末装置からの復調結果を入力する。選択部４２は、入力した復調結果のうち、他の基地局装置１０からの復調結果を抽出する。選択部４２は、復調結果を受けつけたサブフレームを特定することによって、復調結果を受けつけていないサブフレームを特定する。これは、他の基地局装置１０によって路車送信期間が設定されていないサブフレーム、つまり未使用のサブフレームを特定することに相当する。未使用のサブフレームが複数存在する場合、選択部４２は、ランダムにひとつのサブフレームを選択する。未使用のサブフレームが存在しない場合、つまり複数のサブフレームのそれぞれが使用されている場合に、選択部４２は、復調結果に対応した受信電力を取得し、受信電力の小さいサブフレームを優先的に選択する。
【００２５】
図３（ｂ）は、第１基地局装置１０ａによって生成されるフレームの構成を示す。第１基地局装置１０ａは、第１サブフレームの先頭部分に路車送信期間を設定する。また、第１基地局装置１０ａは、第１サブフレームにおいて路車送信期間につづいて車車送信期間を設定する。車車送信期間とは、端末装置がパケット信号を報知可能な期間である。つまり、第１サブフレームの先頭期間である路車送信期間において第１基地局装置１０ａはパケット信号を報知可能であり、かつフレームのうち、路車送信期間以外の車車送信期間において端末装置がパケット信号を報知可能であるような規定がなされる。さらに、第１基地局装置１０ａは、第２サブフレームから第Ｎサブフレームに車車送信期間のみを設定する。
【００２６】
図３（ｃ）は、第２基地局装置１０ｂによって生成されるフレームの構成を示す。第２基地局装置１０ｂは、第２サブフレームの先頭部分に路車送信期間を設定する。また、第２基地局装置１０ｂは、第２サブフレームにおける路車送信期間の後段、第１サブフレーム、第３サブフレームから第Ｎサブフレームに車車送信期間を設定する。図３（ｄ）は、第３基地局装置１０ｃによって生成されるフレームの構成を示す。第３基地局装置１０ｃは、第３サブフレームの先頭部分に路車送信期間を設定する。また、第３基地局装置１０ｃは、第３サブフレームにおける路車送信期間の後段、第１サブフレーム、第２サブフレーム、第４サブフレームから第Ｎサブフレームに車車送信期間を設定する。このように、複数の基地局装置１０は、互いに異なったサブフレームを選択し、選択したサブフレームの先頭部分に路車送信期間を設定する。図２に戻る。選択部４２は、選択したサブフレームの番号を生成部４６へ出力する。
【００２７】
生成部４６は、選択部４２から受けつけたサブフレーム番号のサブフレームに路車送信期間を設定し、路車送信期間において報知すべきＲＳＵパケット信号を生成する。なお、以下の説明において、ＲＳＵパケット信号とパケット信号とは区別せずに使用される。図４（ａ）−（ｂ）は、サブフレームの構成を示す。図４（ａ）は、路車送信期間が設定されたサブフレームを示す。図示のごとく、ひとつのサブフレームは、路車送信期間、車車送信期間の順に構成される。図４（ｂ）は、路車送信期間におけるパケット信号の配置を示す。図示のごとく、路車送信期間において、複数のＲＳＵパケット信号が並べられている。ここで、前後のパケット信号は、ＳＩＦＳ（Ｓｈｏｒｔ  Ｉｎｔｅｒｆｒａｍｅ  Ｓｐａｃｅ）だけ離れている。
【００２８】
ここでは、ＲＳＵパケット信号の構成を説明する。図５（ａ）−（ｂ）は、通信システム１００において規定されるパケット信号に格納されるＭＡＣフレームのフォーマットを示す。図５（ａ）は、ＭＡＣフレームのフォーマットを示す。ＭＡＣフレームは、先頭から順に、「ＭＡＣヘッダ」、「ＬＬＣヘッダ」、「メッセージヘッダ」、「データペイロード」、「ＦＣＳ」を配置する。データペイロードに含まれる情報については、後述する。図５（ｂ）は、生成部４６によって生成されるメッセージヘッダの構成を示す図である。メッセージヘッダには、基本部分が含まれている。
【００２９】
基本部分は、「プロトコルバージョン」、「送信ノード種別」、「再利用回数」、「ＴＳＦタイマ」、「ＲＳＵ送信期間長」を含む。プロトコルバージョンは、対応しているプロトコルのバージョンを示す。送信ノード種別は、ＭＡＣフレームが含まれたパケット信号の送信元を示す。例えば、「０」は端末装置を示し、「１」は基地局装置１０を示す。選択部４２が、入力した復調結果のうち、他の基地局装置１０からの復調結果を抽出する場合に、選択部４２は、送信ノード種別の値を利用する。再利用回数は、メッセージヘッダが端末装置によって転送される場合の有効性の指標を示し、ＴＳＦタイマは、送信時刻を示す。ＲＳＵ送信期間長は、路車送信期間の長さを示しており、路車送信期間に関する情報といえる。図２に戻る。
【００３０】
ネットワーク通信部３４は、図示しないネットワーク２０２に接続される。ネットワーク通信部３４は、ネットワーク２０２から、渋滞情報を受けつける。生成部４６は、ネットワーク通信部３４から、渋滞情報を取得し、データペイロードに格納することによって、前述のＲＳＵパケット信号を生成する。制御部３０は、基地局装置１０全体の処理を制御する。
【００３１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３２】
図６は、車両１２に搭載された端末装置１４の構成を示す。端末装置１４は、アンテナ５０、ＲＦ部５２、変復調部５４、処理部５６、制御部５８、測定部８０、監視部８２を含む。処理部５６は、生成部６４、タイミング特定部６０、転送決定部６８、通知部７０、取得部７２を含む。また、タイミング特定部６０は、抽出部６６、キャリアセンス部６２を含む。アンテナ５０、ＲＦ部５２、変復調部５４は、図２のアンテナ２０、ＲＦ部２２、変復調部２４と同様の処理を実行する。そのため、ここでは、差異を中心に説明する。
【００３３】
変復調部５４、処理部５６は、図示しない他の端末装置１４や基地局装置１０からのパケット信号を受信する。なお、前述のごとく、変復調部５４、処理部５６は、路車送信期間において、基地局装置１０からのパケット信号を受信する。前述のごとく、変復調部５４、処理部５６は、車車送信期間において、他の端末装置１４からのパケット信号を受信する。
【００３４】
抽出部６６は、変復調部５４からの復調結果が、図示しない基地局装置１０からのパケット信号である場合に、路車送信期間が配置されたサブフレームのタイミングを特定する。その際、抽出部６６は、図１のエリア２１２内に存在すると推定する。抽出部６６は、サブフレームのタイミングと、パケット信号のメッセージヘッダの内容、具体的には、ＲＳＵ送信期間長の内容をもとに、フレームを生成する。なお、フレームの生成は、前述のフレーム規定部４０と同様になされればよいので、ここでは説明を省略する。その結果、抽出部６６は、基地局装置１０において形成されたフレームに同期したフレームを生成する。
【００３５】
一方、抽出部６６は、ＲＳＵパケット信号を受信していない場合、図１のエリア外２１４に存在すると推定する。抽出部６６は、エリア２１２に存在していることを推定した場合、車車送信期間を選択する。抽出部６６は、エリア外２１４に存在していることを推定すると、フレームの構成と無関係のタイミングを選択する。抽出部６６は、車車送信期間を選択した場合、フレームおよびサブフレームのタイミング、車車送信期間に関する情報をキャリアセンス部６２へ出力する。抽出部６６は、フレームの構成と無関係のタイミングを選択すると、キャリアセンスの実行をキャリアセンス部６２に指示する。
【００３６】
キャリアセンス部６２は、抽出部６６から、フレームおよびサブフレームのタイミング、車車送信期間に関する情報を受けつける。キャリアセンス部６２は、車車送信期間において、キャリアセンスを実行することによって、干渉電力を測定する。また、キャリアセンス部６２は、干渉電力をもとに、車車送信期間における送信タイミングを決定する。具体的に説明すると、キャリアセンス部６２は、所定のしきい値を予め記憶しており、干渉電力としきい値とを比較する。干渉電力がしきい値よりも小さければ、キャリアセンス部６２は、送信タイミングを決定する。キャリアセンス部６２は、抽出部６６から、キャリアセンスの実行を指示された場合、フレームの構成を考慮せずに、ＣＳＭＡを実行することによって、送信タイミングを決定する。キャリアセンス部６２は、決定した送信タイミングを生成部６４へ通知する。
【００３７】
取得部７２は、図示しないＧＰＳ受信機、ジャイロセンサ、車速センサ等を含んでおり、それらから供給されるデータによって、図示しない車両１２、つまり端末装置１４が搭載された車両１２の存在位置、進行方向、移動速度等（以下、「位置情報」と総称する）を取得する。なお、存在位置は、緯度・経度によって示される。これらの取得には公知の技術が使用されればよいので、ここでは説明を省略する。取得部７２は、位置情報を生成部６４へ出力する。
【００３８】
転送決定部６８は、メッセージヘッダの転送を制御する。転送決定部６８は、パケット信号からメッセージヘッダを抽出する。パケット信号が基地局装置１０から直接送信されている場合には、再利用回数が「０」に設定されているが、パケット信号が他の端末装置１４から送信されている場合には、再利用回数が「１以上」の値に設定されている。転送決定部６８は、抽出したメッセージヘッダから、転送すべきメッセージヘッダを選択する。ここでは、例えば、再利用回数が最も小さいメッセージヘッダが選択される。また、転送決定部６８は、複数のメッセージヘッダに含まれた内容を合成することによって新たなメッセージヘッダを生成してもよい。転送決定部６８は、選択対象のメッセージヘッダを生成部６４へ出力する。その際、転送決定部６８は、再利用回数を「１」増加させる。
【００３９】
生成部６４は、取得部７２から位置情報を受けつけ、転送決定部６８からメッセージヘッダを受けつける。生成部６４は、図５（ａ）−（ｂ）に示されたＭＡＣフレームを使用し、位置情報をデータペイロードに格納する。生成部６４は、ＭＡＣフレームが含まれたパケット信号を生成するとともに、キャリアセンス部６２において決定した送信タイミングにて、変復調部５４、ＲＦ部５２、アンテナ５０を介して、生成したパケット信号をブロードキャスト送信する。なお、送信タイミングは、車車送信期間に含まれている。
【００４０】
測定部８０は、ＲＦ部５２、変復調部５４において受信したパケット信号に対する受信電力を測定する。受信電力の測定には、公知の技術が使用されればよいので、ここでは、説明を省略するが、例えば、受信電力の測定は、ＯＦＤＭシンボル単位になされる。測定結果は、監視部８２および通知部７０に順次出力される。監視部８２は、測定部８０から、受信電力の測定結果を受けつける。監視部８２は、測定した受信電力の変動を監視する。具体的に説明すると、監視部８２は、隣接した測定タイミングでの受信電力の差異を順次計算する。その際、受信電力の変動を平滑化するために、フィルタリングがなされてもよい。監視部８２は、計算した差異を通知部７０に出力する。
【００４１】
通知部７０は、路車送信期間において、図示しない基地局装置１０からのパケット信号を取得するとともに、車車送信期間において、図示しない他の端末装置１４からのパケット信号を取得する。なお、パケット信号には、送信元となる装置に関する情報が含まれている。送信元となる装置に関する情報によって、基地局装置１０、車両１２に搭載された端末装置１４、歩行者に携帯された端末装置１４のいずれかが示される。通知部７０は、取得したパケット信号の送信元が、車両１２に搭載された端末装置１４である場合に、パケット信号に格納されたデータの内容に応じて、図示しない他の車両１２の接近等を運転者へモニタやスピーカを介して通知する。
【００４２】
また、通知部７０は、測定部８０から、受信電力の測定結果を受けつけるとともに、監視部８２から差異を受けつける。通知部７０は、取得したパケット信号の送信元が、歩行者に携帯された端末装置１４である場合に、受信電力の測定結果が第１しきい値以上であれば、パケット信号に格納されたデータの内容に応じて、図示しない歩行者の接近等を運転者へモニタへの表示によって通知する。受信電力の測定結果が第１しきい値よりも小さければ、通知部７０は、監視部８２からの差異が第２しきい値よりも大きくなるように受信電力が増大した場合、パケット信号に格納されたデータの内容に応じた通知を開始する。この通知も、画面への表示によってなされる。例えば、ナビゲーション画面の一部でアイコンが表示されたり、交差点付近の地図が拡大表示されたりする。制御部５８は、端末装置１４全体の動作を制御する。
【００４３】
以上の構成による通信システム１００の動作を説明する。図７は、端末装置１４による通知手順を示すフローチャートである。ＲＦ部５２、変復調部５４は、パケット信号を受信する（Ｓ１０）。歩行者用の端末装置１４であり（Ｓ１２のＹ）、受信電力が第１しきい値より小さく（Ｓ１４のＹ）、変動が第２しきい値より大きければ（Ｓ１６のＹ）、通知部７０は、通知を実行する（Ｓ１８）。受信電力が第１しきい値より小さくなければ（Ｓ１４のＮ）、通知部７０は、通知を実行する（Ｓ１８）。歩行者用の端末装置１４でなく（Ｓ１２のＮ）、あるいは変動が第２しきい値より大きくなければ（Ｓ１６のＮ）、処理は終了される。
【００４４】
次に、本発明の変形例を説明する。本変形例も、車車間通信と路車間通信とを実行する通信システムに関する。本変形例は、受信電力がしきい値よりも小さくても、早期に警告するとともに、注意喚起能力を向上することを目的とする。本変形例に係る端末装置は、実施例と同様に、受信電力が小さくても、受信電力の変動がしきい値よりも大きくなるように受信電力が増大した場合に、警告を出力する。さらに、端末装置は、注意喚起能力を向上するために、危険性の高いときに警告の出力を限定する。そのため、本変形例に係る端末装置は、車両に搭載された照明装置が点灯している場合だけ警告を出力する。これは、歩行者を見落としやすい状況だからである。
【００４５】
図８は、本発明の変形例に係る端末装置１４の構成を示す。端末装置１４は、図６の端末装置１４に対して、点灯情報取得部８４が追加されている。ここでは、差異を中心に説明する。図示しない車両１２には、照明装置、例えば、ヘッドライトが備えられている。点灯情報取得部８４は、照明装置に接続されており、照明装置の点灯状態に関する情報を取得する。照明装置の点灯状態に関する情報は、照明装置が点灯しているか消灯しているかを示す。なお、点灯情報取得部８４は、運転者からの入力によって、照明装置の点灯状態に関する情報を取得してもよい。監視部８２は、点灯情報取得部８４から、照明装置の点灯状態に関する情報を受けつける。監視部８２は、計算した差異とともに、照明装置の点灯状態に関する情報を通知部７０に出力する。通知部７０は、取得したパケット信号の送信元が、歩行者に携帯された端末装置１４であり、かつ受信電力の測定結果が第１しきい値よりも小さい場合、監視部８２からの差異が第２しきい値よりも大きくなるように受信電力が増大し、かつ点灯情報取得部８４において取得した情報が点灯状態を示していれば、通知を開始する。
【００４６】
以上の構成による通信システム１００の動作を説明する。図９は、端末装置１４による通知手順を示すフローチャートである。ＲＦ部５２、変復調部５４は、パケット信号を受信する（Ｓ２０）。歩行者用の端末装置１４であり（Ｓ２２のＹ）、受信電力が第１しきい値より小さく（Ｓ２４のＹ）、変動が第２しきい値より大きく（Ｓ２６のＹ）、点灯状態であれば（Ｓ２８のＹ）、通知部７０は、通知を実行する（Ｓ３０）。受信電力が第１しきい値より小さくなければ（Ｓ２４のＮ）、通知部７０は、通知を実行する（Ｓ３０）。歩行者用の端末装置１４でなく（Ｓ２２のＮ）、あるいは変動が第２しきい値より大きくなく（Ｓ２６のＮ）、あるいは点灯状態でなければ（Ｓ２８のＮ）、処理は終了される。
【００４７】
次に、本発明の別の変形例を説明する。別の変形例も、車車間通信と路車間通信とを実行する通信システムに関する。別の変形例は、受信電力がしきい値よりも小さくても、早期に警告するとともに、無駄な警告を抑制することを目的とする。別の変形例に係る端末装置は、実施例と同様に、受信電力が小さくても、受信電力の変動がしきい値よりも大きくなるように受信電力が増大した場合に、警告を出力する。さらに、端末装置は、無駄な警告を抑制するために、車両が停止していれば、警告を出力しない。これは、歩行者に追突する危険性がないからである。
【００４８】
図１０は、本発明の別の変形例に係る端末装置１４の構成を示す。端末装置１４は、図６の端末装置１４に対して、走行情報取得部８６が追加されている。ここでは、差異を中心に説明する。図示しない車両１２には、速度センサが備えられている。走行情報取得部８６は、本無線装置は、車両１２に搭載されており、当該車両１２の走行状態に関する情報を取得する。走行状態に関する情報は、車両１２の走行速度を示す。監視部８２は、走行情報取得部８６から、走行状態に関する情報を受けつける。監視部８２は、計算した差異とともに、走行状態に関する情報を通知部７０に出力する。通知部７０は、取得したパケット信号の送信元が、歩行者に携帯された端末装置１４であり、かつ受信電力の測定結果が第１しきい値よりも小さい場合、監視部８２からの差異が第２しきい値よりも大きくなるように受信電力が増大し、かつ走行情報取得部８６において取得した情報が停止を示していなければ、通知を開始する。なお、走行情報取得部８６において取得した情報が停止を示していれば、通知部７０は通知を開始しない。
【００４９】
以上の構成による通信システム１００の動作を説明する。図１１は、端末装置１４による通知手順を示すフローチャートである。ＲＦ部５２、変復調部５４は、パケット信号を受信する（Ｓ４０）。停止中でなく（Ｓ４１のＮ）、歩行者用の端末装置１４であり（Ｓ４２のＹ）、受信電力が第１しきい値より小さく（Ｓ４４のＹ）、変動が第２しきい値より大きければ（Ｓ４６のＹ）、通知部７０は、通知を実行する（Ｓ５０）。受信電力が第１しきい値より小さくなければ（Ｓ４４のＮ）、通知部７０は、通知を実行する（Ｓ５０）。停止状態であり（Ｓ４１のＹ）、あるいは歩行者用の端末装置１４でなく（Ｓ４２のＮ）、あるいは変動が第２しきい値より大きくなければ（Ｓ４６のＮ）、処理は終了される。
【００５０】
次に、本発明のさらに別の変形例を説明する。さらに別の変形例も、車車間通信と路車間通信とを実行する通信システムに関する。さらに別の変形例は、受信電力がしきい値よりも小さくても、早期に警告するとともに、注意喚起能力を向上することを目的とする。さらに別の変形例に係る端末装置は、実施例と同様に、受信電力が小さくても、受信電力の変動がしきい値よりも大きくなるように受信電力が増大した場合に、警告を出力する。さらに、端末装置は、注意喚起能力を向上するために、危険性の高いときに警告の出力を限定する。そのため、本変形例に係る端末装置は、走行している道路の幅員が狭い場合だけ警告を出力する。これは、飛び出してきた歩行者の危険性がより高いからである。
【００５１】
図１２は、本発明のさらに別の変形例に係る端末装置１４の構成を示す。端末装置１４は、図６の端末装置１４に対して、道路情報取得部８８が追加されている。ここでは、差異を中心に説明する。図示しない車両１２には、カーナビゲーションシステムが備えられている。カーナビゲーションシステムには、道路に関する情報、例えば、道路の幅員の情報が記憶されている。道路情報取得部８８は、カーナビゲーションシステムから、当該車両１２が走行している道路に関する情報を取得する。なお、狭い道路の場合、道路の幅員の情報が記憶されていないこともある。その際、道路情報取得部８８は、道路に関する情報として、幅員の情報なしという情報を取得する。
【００５２】
監視部８２は、道路情報取得部８８から、道路に関する情報を受けつける。監視部８２は、計算した差異とともに、道路に関する情報を通知部７０に出力する。通知部７０は、取得したパケット信号の送信元が、歩行者に携帯された端末装置１４であり、かつ受信電力の測定結果が第１しきい値よりも小さい場合、監視部８２からの差異が第２しきい値よりも大きくなるように受信電力が増大し、かつ道路に関する情報が所定の長さよりも短い幅員の道路を示していれば、通知を開始する。ここで、道路に関する情報が、幅員の情報なしを示している場合、通知部７０は、所定の長さよりも短い幅員の道路であると推定する。
【００５３】
以上の構成による通信システム１００の動作を説明する。図１３は、端末装置１４による通知手順を示すフローチャートである。ＲＦ部５２、変復調部５４は、パケット信号を受信する（Ｓ６０）。幅員が短く（Ｓ６１のＹ）、歩行者用の端末装置１４であり（Ｓ６２のＹ）、受信電力が第１しきい値より小さく（Ｓ６４のＹ）、変動が第２しきい値より大きければ（Ｓ６６のＹ）、通知部７０は、通知を実行する（Ｓ７０）。受信電力が第１しきい値より小さくなければ（Ｓ６４のＮ）、通知部７０は、通知を実行する（Ｓ７０）。幅員が短くなく（Ｓ６１のＮ）、あるいは歩行者用の端末装置１４でなく（Ｓ６２のＮ）、あるいは変動が第２しきい値より大きくなければ（Ｓ６６のＮ）、処理は終了される。
【００５４】
次に、本発明のさらに別の変形例を説明する。さらに別の変形例も、車車間通信と路車間通信とを実行する通信システムに関する。さらに別の変形例は、受信電力がしきい値よりも小さくても、早期に警告するとともに、注意喚起能力を向上することを目的とする。さらに別の変形例に係る端末装置は、実施例と同様に、受信電力が小さくても、受信電力の変動がしきい値よりも大きくなるように受信電力が増大した場合に、警告を出力する。さらに、端末装置は、注意喚起能力を向上するために、危険性の高いときに警告の出力を限定する。そのため、本変形例に係る端末装置は、撮像装置で進行方向の画像データを生成し、画像データに歩行者が含まれている場合だけ警告を出力する。
【００５５】
図１４は、本発明のさらに別の変形例に係る端末装置１４の構成を示す。端末装置１４は、図６の端末装置１４に対して、画像データ取得部９０が追加されている。ここでは、差異を中心に説明する。図示しない車両１２には、当該車両１２の進行方向を撮像するための撮像装置が備えられている。撮像装置は、撮像によって、画像データを生成する。ここでは、画像データは、動画像であってもよいし、連続して撮像される複数の静止画像であってもよい。画像データ取得部９０は、撮像装置から、当該車両１２の進行方向を撮像した画像データを取得する。監視部８２は、画像データ取得部９０から、画像データを受けつける。監視部８２は、計算した差異とともに、画像データを通知部７０に出力する。
【００５６】
通知部７０には、図示しない解析部が含まれる。解析部は、画像データ取得部９０において取得した画像データの内容を解析することによって、画像データに歩行者が含まれているか否かを特定する。画像データの解析には公知の技術が使用されればよいので、ここでは説明を省略する。通知部７０は、取得したパケット信号の送信元が、歩行者に携帯された端末装置１４であり、かつ受信電力の測定結果が第１しきい値よりも小さい場合、監視部８２からの差異が第２しきい値よりも大きくなるように受信電力が増大し、かつ解析部において解析した画像データに歩行者が含まれている場合、通知を開始する。
【００５７】
以上の構成による通信システム１００の動作を説明する。図１５は、端末装置１４による通知手順を示すフローチャートである。ＲＦ部５２、変復調部５４は、パケット信号を受信する（Ｓ８０）。歩行者用の端末装置１４であり（Ｓ８２のＹ）、受信電力が第１しきい値より小さく（Ｓ８４のＹ）、変動が第２しきい値より大きく（Ｓ８６のＹ）、歩行者を撮像していれば（Ｓ８８のＹ）、通知部７０は、通知を実行する（Ｓ９０）。受信電力が第１しきい値より小さくなければ（Ｓ８４のＮ）、通知部７０は、通知を実行する（Ｓ９０）。歩行者用の端末装置１４でなく（Ｓ８２のＮ）、あるいは変動が第２しきい値より大きくなく（Ｓ８６のＮ）、あるいは歩行者を撮像していなければ（Ｓ８８のＮ）、処理は終了される。
【００５８】
本発明の実施例によれば、変動がしきい値よりも大きくなるように受信電力が増大した場合、パケット信号の内容に応じた通知を開始するので、歩行者が見通し外から見通し内に入ってきた状況を迅速に検知できる。また、歩行者が見通し外から見通し内に入ってきた状況が迅速に検知されるので、危険性の高い端末装置を所有した歩行者の存在を通知できる。また、照明装置が点灯している場合に、通知の開始を制限するので、警告の通知機会を限定できる。また、警告の通知機会が限定されるので、警告の注意喚起能力を維持できる。また、停止している場合に、通知を開始しないので、不要な警告を抑制できる。また、所定の長さよりも短い幅員の道路を走行している場合に、通知の開始を制限するので、警告の通知機会を限定できる。また、画像データに歩行者が含まれている場合に、通知の開始を制限するので、警告の通知機会を限定できる。
【００５９】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６０】
本発明の実施例において、通知部７０は、車両１２に搭載された端末装置１４からパケット信号を受信した場合、警告を通知している。しかしながらこれに限らず例えば、通知部７０は、車両１２に搭載された端末装置１４からパケット信号を受信した場合であっても、歩行者に携帯された端末装置１４からパケット信号を受信した場合と同様に、条件判定を実行した後に、通知を開始してもよい。本変形例によれば、車両１２に搭載された端末装置１４からパケット信号を受信した場合であっても、通知機会を制限できる。
【００６１】
本発明のさらに別の変形例において、道路情報取得部８８は、カーナビゲーションシステムから、道路に関する情報を取得している。しかしながらこれに限らず例えば、道路情報取得部８８は、撮像装置によって撮像した画像データを解析することによって、道路に関する情報を取得してもよい。画像データの解析には、公知の技術が使用されればよいので、ここでは説明を省略する。本変形例によれば、端末装置１４の設計の自由度を向上できる。
【００６２】
本発明のさらに別の変形例において、通知部７０は、道路の幅員に応じて、警告を通知するか否かを決定している。しかしながらこれに限らず例え、通知部７０は、道路の幅員に応じて、通知方法を変えてもよい。具体的に説明すると、通知部７０は、道路の幅員が狭くなると表示による通知を実行し、道路の幅員がさらに狭くなると表示と音声による通知を実行する。本変形例によれば、危険度の情報を運転者に知らしめることができる。
【００６３】
端末装置１４は、複数のアンテナを備え、他の端末装置１４からのパケット信号の到来方向を推定してもよい。通知部７０は、到来方向に応じて、警告を通知するか否かを決定する。
【００６４】
これまで、端末装置１４は、車両１２に搭載されていること、特に車両１２に固定されていることを前提としている。しかしながらそれに限らず例えば、端末装置１４は、車両１２に脱着可能に構成されていてもよい。端末装置１４が車両１２に装着される場合、図８の点灯情報取得部８４、図１０の走行情報取得部８６、図１２の道路情報取得部８８、図１４の画像データ取得部９０が、車両１２に備えられた接続端子に接続される。本変形例によれば、端末装置１４を携帯可能に構成できる。
【符号の説明】
【００６５】
１０  基地局装置、  １２  車両、  １４  端末装置、  ２０  アンテナ、  ２２  ＲＦ部、  ２４  変復調部、  ２６  処理部、  ３０  制御部、  ３４  ネットワーク通信部、  ４０  フレーム規定部、  ４２  選択部、  ４６  生成部、  ５０  アンテナ、  ５２  ＲＦ部、  ５４  変復調部、  ５６  処理部、  ５８  制御部、  ６０  タイミング特定部、  ６２  キャリアセンス部、  ６４  生成部、  ６６  抽出部、  ６８  転送決定部、  ７０  通知部、  ７２  取得部、  ８０  測定部、  ８２  監視部、  ８４  点灯情報取得部、  ８６  走行情報取得部、  ８８  道路情報取得部、  ９０  画像データ取得部、  １００  通信システム。
【産業上の利用可能性】
【００６６】
本発明によれば、危険性の高い端末装置の存在を通知できる。
【図１】
2012114412.tif 000003
【図２】
2012114412.tif 000004
【図３】
2012114412.tif 000005
【図４】
2012114412.tif 000006
【図５】
2012114412.tif 000007
【図６】
2012114412.tif 000008
【図７】
2012114412.tif 000009
【図８】
2012114412.tif 000010
【図９】
2012114412.tif 000011
【図１０】
2012114412.tif 000012
【図１１】
2012114412.tif 000013
【図１２】
2012114412.tif 000014
【図１３】
2012114412.tif 000015
【図１４】
2012114412.tif 000016
【図１５】
2012114412.tif 000017
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
他の無線装置からのパケット信号を受信する受信部と、
前記受信部において受信したパケット信号を処理する処理部と、
前記受信部において受信したパケット信号に対する受信電力を測定する測定部と、
前記測定部において測定した受信電力の変動を監視する監視部と、
前記測定部において測定した受信電力が第１しきい値よりも小さい場合であって、かつ前記監視部において監視している変動が第２しきい値よりも大きくなるように受信電力が増大した場合、前記処理部において処理したパケット信号の内容に応じた通知を開始し、前記測定部において測定した受信電力が第１しきい値以上である場合、前記監視部において監視している変動に関係なく、前記処理部において処理したパケット信号の内容に応じた通知を開始する通知部と、
を備えることを特徴とする無線装置。
【請求項２】
本無線装置は、車両に搭載された場合、当該車両に備えられた照明装置の点灯状態に関する情報を取得する点灯情報取得部をさらに備え、
前記通知部は、前記監視部において監視している変動が第２しきい値よりも大きくなるように受信電力が増大した場合であって、かつ前記点灯情報取得部において取得した情報が点灯状態を示している場合、通知を開始することを特徴とする請求項１に記載の無線装置。
【請求項３】
本無線装置は、車両に搭載された場合、当該車両の走行状態に関する情報を取得する走行情報取得部をさらに備え、
前記通知部は、前記監視部において監視している変動が第２しきい値よりも大きくなるように受信電力が増大した場合であっても、前記走行情報取得部において取得した情報が停止を示している場合、通知を開始しないことを特徴とする請求項１または２に記載の無線装置。
【請求項４】
本無線装置は、車両に搭載された場合、当該車両が走行している道路に関する情報を取得する道路情報取得部をさらに備え、
前記通知部は、前記監視部において監視している変動が第２しきい値よりも大きくなるように受信電力が増大した場合であって、かつ前記道路情報取得部において取得した情報が、所定の長さよりも短い幅員の道路を示している場合、通知を開始することを特徴とする請求項１から３のいずれかに記載の無線装置。
【請求項５】
本無線装置は、車両に搭載された場合、当該車両の進行方向を撮像した画像データを取得する画像データ取得部と、
前記画像データ取得部において取得した画像データの内容を解析する解析部をさらに備え、
前記通知部は、前記監視部において監視している変動が第２しきい値よりも大きくなるように受信電力が増大した場合であって、かつ前記解析部において解析した画像データに歩行者が含まれている場合、通知を開始することを特徴とする請求項１から４のいずれかに記載の無線装置。
【請求項６】
前記通知部は、画面への表示によって通知を実行することを特徴とする請求項１から５のいずれかに記載の無線装置。
【国際調査報告】
2012114412.tif 000018
2012114412.tif 000019
2012114412.tif 000020
2012114412.tif 000021